(57)【特許請求の範囲】
【請求項１】
外枠と、前記外枠の上部に取り付けられ前記外枠とともに洗濯機本体を構成する上枠と、前記上枠の前面側に取り付けられた操作パネルと、前記操作パネルの裏面側に設けられ運転条件が設定スイッチにより設定されるとその設定内容を表示部に表示する制御手段を有する操作表示部と、前記上枠の後面側に設けられ前記操作表示部の制御手段と電気的に接続されるとともにモータ等の負荷を制御する制御手段を有する制御部と、前記上枠に開閉自在に設けられ洗濯兼脱水槽を開閉自在に覆う蓋と、前記蓋の開閉状態を検知する蓋開閉検知部と、前記蓋を閉状態にロックする蓋ロックソレノイドと、前記蓋がロックされている状態を検知する蓋ロック検知部とを備え、前記蓋開閉検知部、前記蓋ロックソレノイドおよび前記蓋ロック検知部を同一筐体内に配置して蓋ロック部とし、前記蓋ロック部は、前記上枠の前面側に設けられるとともに、前記蓋開閉検知部と前記蓋ロック検知部の出力信号が前記操作表示部の制御手段を介して前記制御部の制御手段に出力されるように構成して、前記蓋のロックを行う洗濯機。
【発明の詳細な説明】
【０００１】
【発明の属する技術分野】
本発明は、脱水行程時などで洗濯兼脱水槽を開閉自在に覆う蓋の状態を検知して蓋ロック動作を行うよう構成した洗濯機に関するものである。
【０００２】
【従来の技術】
従来、この種の洗濯機は図６および図７に示すように構成していた。以下、その構成について説明する。
【０００３】
図７に示すように、箱形状の外枠１の上部に上枠２を取り付けて洗濯機本体を構成し、上枠２の前面側上面部に操作パネル３を取り付けるよう構成している。操作パネル３の裏面側に、運転条件を設定、表示する操作表示部４を設け、後面側上面部に、モータなどの負荷を制御する制御部５を設け、操作表示部４と制御部５との間をリード線６で接続している。
【０００４】
操作表示部４と制御部５は、図６に示すように構成しており、制御部５は商用電源７を直流に変換する直流電源８と、マイクロコンピュータなどで構成し、洗い、すすぎ、脱水の一連の行程を逐次制御する制御手段９と、モータ１０、給水弁１１、排水弁１２などの負荷への通電を制御し、各負荷を駆動する負荷駆動回路１３、１４、１５などで構成している。
【０００５】
モータ１０は撹拌翼、洗濯兼脱水槽（いずれも図示せず）を回転駆動するものであり、給水弁１０は洗濯兼脱水槽内に給水し、排水弁１２は洗濯兼脱水槽内の水を排出するものである。
【０００６】
直流電源８は制御部５の各構成部品に直流電圧を供給し、制御部５を動作状態にする。また、制御部５は、操作表示部４に電源供給線１６を通して電源を供給している。
【０００７】
操作表示部４は、使用者が運転内容を設定する設定スイッチ１７と、設定スイッチ１７による設定内容と運転状態を表示する表示部１８と、上枠２に開閉自在に設けた蓋１９の開閉状態を検知する蓋開閉検知部２０と、マイクロコンピュータなどで構成した制御手段２１などで構成し、制御手段２１と制御部５の制御手段９とを信号線２２で接続している。ここで、蓋開閉検知部２０は蓋１９に設けられたマグネット２３の位置を検知することにより蓋１９の開閉状態を検知するよう構成している。
【０００８】
制御手段２１は、洗い、すすぎ、脱水などの内容を設定スイッチ１７より設定すると、その設定内容を表示部１８に表示するとともに、設定した内容を操作表示部４と電気的に接続した制御部５に信号線２２を通して伝達し、制御手段９は伝達された内容にしたがって、洗い、すすぎ、脱水の一連の行程を実行するよう構成している。水位検知手段２４は洗濯兼脱水槽内の水位を検知するものである。
【０００９】
蓋ロック部２５は、蓋開閉検知部２０により蓋１９の閉状態を検知したとき、制御手段９により負荷駆動回路２６を介して、蓋ロックソレノイド２７を動作して蓋１９をロックし、蓋ロック検知部２８により蓋１９のロックの状態を検知し、その出力信号を信号線２９を通して制御手段９に入力するよう構成している。
【００１０】
上記構成において動作を説明する。制御手段９が動作状態になると、プログラムに従った洗い、すすぎ、脱水の一連の行程を実行する。まず、洗い行程では、負荷駆動回路１４を介して給水弁１１を動作させ、洗濯兼脱水槽内へ給水を開始する。水位検知手段２２により洗濯兼脱水槽内の水位を検知し、所定水位を検知すると負荷駆動回路１４により給水弁１１の動作を停止して給水を停止する。
【００１１】
そして、制御手段９は負荷駆動回路１３を介してモータ１０に通電し、モータ１０の回転を撹拌翼に伝達し、洗濯兼脱水槽内の衣類と水を撹拌する。この撹拌動作を所定時間継続した後、制御手段９は負荷駆動回路１３によりモータ１０を停止するとともに、負荷駆動回路１５を介して排水弁１２を開き、洗濯兼脱水槽内の水を排水する。このような動作を繰り返して洗いから脱水までの一連の行程を実行する。
【００１２】
このとき、脱水行程など洗濯兼脱水槽が回転している場合、蓋１９が開いていると危険なので、蓋１９に設けたマグネット２３の位置を蓋開閉検知部２０で検知し、蓋１９が閉状態のとき、制御手段９により負荷駆動回路２６を介して、蓋ロックソレノイド２７を動作させて蓋１９をロックし、蓋ロック検知部２８により蓋ロックの状態を検知し、蓋１９が確実にロックされている場合のみ、負荷駆動回路１０によりモータ１０を動作させ、洗濯兼脱水槽の回転を行う。
【００１３】
【発明が解決しようとする課題】
しかし、このような従来の構成では、蓋開閉検知部２０は操作表示部４内に設けているので、蓋１９の開閉状態を検知する蓋開閉検知部２０の位置と蓋１９をロックする蓋ロック部２５の位置とが空間的に離れてしまうため、蓋１９がロックできない状態にある場合でも蓋ロック動作を行い、次の行程に進んでしまうという誤動作が生じる問題を有していた。
【００１４】
また、蓋開閉検知部２０は操作表示部４内に設けていることにより、蓋ロックソレノイド２７と蓋開閉検知部２０とを空間的に近づけるためには、操作表示部４のデザインの自由度に制限が生じるという問題を有していた。
【００１５】
本発明は上記従来の課題を解決するもので、蓋開閉検知部の位置と蓋ロック位置とをほぼ同じ位置にし、蓋ロックの誤動作を防止するとともに、操作表示部のデザインの自由度を向上することを目的としている。
【００１６】
【課題を解決するための手段】
本発明は上記目的を達成するために、外枠の上部に取り付けられた上枠と外枠とで洗濯機本体を構成し、上枠の前面側に操作パネルが取り付けられ、運転条件が設定スイッチにより設定されるとその設定内容を表示部に表示する制御手段を有する操作表示部が操作パネルの裏面側に設けられ、操作表示部の制御手段と電気的に接続されるとともにモータ等の負荷を制御する制御手段を有する制御部が上枠の後面側に設けられ、洗濯兼脱水槽を開閉自在に覆う蓋が上枠に開閉自在に設けられ、蓋の開閉状態を蓋開閉検知部により検知し、蓋ロックソレノイドにより蓋を閉状態にロックし、蓋がロックされている状態を蓋ロック検知部により検知するよう構成し、蓋開閉検知部、蓋ロックソレノイドおよび蓋ロック検知部を同一筐体内に配置して蓋ロック部とし、蓋ロック部は、上枠の前面側に設けられるとともに、蓋開閉検知部と蓋ロック検知部の出力信号が操作表示部の制御手段を介して制御部の制御手段に出力されるように構成して、蓋のロックを行うものである。
【００１７】
これにより、蓋開閉検知部の位置と蓋ロック位置とをほぼ同じ位置にでき、蓋ロックの誤動作を防止できるとともに、操作表示部のデザインの自由度を向上することができ、さらに、リード線等を削減することができ、コストを低減することができる。
【００１８】
【発明の実施の形態】
本発明の請求項１に記載の発明は、外枠と、前記外枠の上部に取り付けられ前記外枠とともに洗濯機本体を構成する上枠と、前記上枠の前面側に取り付けられた操作パネルと、前記操作パネルの裏面側に設けられ運転条件が設定スイッチにより設定されるとその設定内容を表示部に表示する制御手段を有する操作表示部と、前記上枠の後面側に設けられ前記操作表示部の制御手段と電気的に接続されるとともにモータ等の負荷を制御する制御手段を有する制御部と、前記上枠に開閉自在に設けられ洗濯兼脱水槽を開閉自在に覆う蓋と、前記蓋の開閉状態を検知する蓋開閉検知部と、前記蓋を閉状態にロックする蓋ロックソレノイドと、前記蓋がロックされている状態を検知する蓋ロック検知部とを備え、前記蓋開閉検知部、前記蓋ロックソレノイドおよび前記蓋ロック検知部を同一筐体内に配置して蓋ロック部とし、前記蓋ロック部は、前記上枠の前面側に設けられるとともに、前記蓋開閉検知部と前記蓋ロック検知部の出力信号が前記操作表示部の制御手段を介して前記制御部の制御手段に出力されるように構成して、前記蓋のロックを行うものであり、蓋開閉検知部の位置と蓋ロック位置とをほぼ同じ位置にでき、蓋ロックの誤動作を防止できるとともに、操作表示部から蓋開閉検知部をなくしたことにより、操作表示部のデザインの自由度を向上することができ、さらに、リード線等を削減することができ、コストを低減することができる。
【００１９】
【実施例】
以下、本発明の実施例について、図面を参照しながら説明する。なお、従来例と同じ構成のものは同一符号を付して説明を省略する。
【００２０】
（実施例１）
図１および図２に示すように、蓋開閉検知部３０は、洗濯兼脱水槽を開閉自在に覆う蓋１９の開閉状態を検知するもので、蓋１９を閉状態にロックする蓋ロックソレノイド３１と、蓋１９がロックされている状態を検知する蓋ロック検知部３２とともに同一筐体内に配置し、蓋ロック部３３を構成している。
【００２１】
蓋開閉検知部３０と蓋ロック検知部３２の出力は、それぞれ信号線３４を介して、制御部３５を構成する制御手段３６に入力し、制御手段３６はマイクロコンピュータなどで構成し、それぞれの信号の状態に基づき負荷駆動回路２６を介して蓋ロックソレノイド３１を動作するよう構成している。
【００２２】
操作表示部３７は、使用者が運転内容を設定する設定スイッチ１７と、設定スイッチ１７による設定内容と運転状態を表示する表示部１８と、マイクロコンピュータなどで構成した制御手段３８などで構成し、制御手段３８と制御部３５の制御手段３６とを信号線３９で接続している。
【００２３】
制御手段３８は、洗い、すすぎ、脱水などの内容を設定スイッチ１７より設定すると、その設定内容を表示部１８に表示するとともに、設定した内容を操作表示部３７と電気的に接続した制御部３５に信号線３９を通して伝達し、制御手段３６は伝達された内容にしたがって、洗い、すすぎ、脱水の一連の行程を実行するよう構成している。他の構成は従来例と同じである。
【００２４】
上記構成において脱水行程の動作を図３を参照しながら説明する。ステップ４０にて脱水行程の動作を開始すると、ステップ４１にて蓋開閉検知部３０により蓋１９の開閉状態を検知し、信号線３４を通して制御部３５へ入力する。ステップ４２にて、制御手段３６により蓋１９が閉じられているかを判断する。蓋１９が閉じられている場合はステップ４３へ進み、蓋ロックソレノイド３１を駆動する。ステップ４２にて蓋１９が閉じられていないと判断した場合は、ステップ４１に戻り蓋１９が閉じられるまで、蓋ロックソレノイド３１を駆動しない。
【００２５】
つぎに、ステップ４４にて蓋ロック検知部３２により蓋１９のロック状態を検知し、信号線３４を通じて制御部３５に入力し、ステップ４５にて制御手段３６により蓋１９がロックされているかを判断する。蓋１９がロックされている状態であると判断した場合は、洗濯兼脱水槽回転等の次行程に進む。蓋１９がロックされていない場合はステップ４３に戻り、再び蓋ロックソレノイド３１を駆動する。
【００２６】
つぎに、脱水行程以外の動作を図４を参照しながら説明する。ステップ５０にて脱水行程以外の動作を開始すると、ステップ５１にて蓋ロック検知部３２により蓋１９のロック状態を検知し、信号線３４を通じて制御部３５に入力し、蓋１９がロックされていない状態である場合は、ステップ５２へ進みその運転を継続する。
【００２７】
蓋１９がロックされている状態である場合は、蓋ロックソレノイド３１または蓋ロック検知部３２が故障していると判断し、ステップ５３にて表示部１８に異常内容を表示（報知）する。
【００２８】
このように、蓋開閉検知部２７と蓋ロックソレノイド２５がほぼ同じ位置に設置しているため、蓋１９の変形等による蓋開閉状態を誤って検知したことによる誤動作をなくすることができる。
【００２９】
また、操作表示部３７に蓋開閉検知部３０を設けなくてもよいため、操作表示部３７を蓋１９の位置に関係なく、洗濯機内のどの位置にでも自由に設置することができるため、デザインの自由度を向上することができる。
【００３０】
なお、本実施例では、蓋開閉検知部３０の出力信号と蓋ロック検知部３２の出力信号とを制御部３５に入力しているが、操作表示部３７に入力して操作表示部３７を介して制御部に出力させることにより、蓋ロック部３３と制御部３６との間の距離に比べて、蓋ロック部３３と操作表示部３７との間の距離の方が短いため、リード線などのコストダウンを図ることができる。
【００３１】
（実施例２）
図５に示すように、蓋ロック部３３ａは、蓋開閉検知部３０ａと蓋ロック検知部３２ａとをそれぞれスイッチで構成して直列に接続し、それぞれのスイッチに並列に抵抗値が異なる抵抗Ｒ１、Ｒ２を接続し、さらに直列に抵抗値が異なる抵抗Ｒ３を接続し、この両端に直流電圧Ｖｉｎを加え、抵抗Ｒ２、Ｒ３の接続点から出力信号を取り出すよう構成している。
【００３２】
このときの蓋の開閉状態および蓋のロック状態と、蓋開閉検知部３０ａおよび蓋ロック検知部３２ａの状態との関係を（表１）に示している。
【００３３】
【表１】
0003861695.tif 000002
【００３４】
（表１）に示すように、蓋開閉検知部３０ａの状態は、蓋が開状態のときはスイッチは開で、蓋が閉状態のときはスイッチは閉であり、蓋ロック検知部３２ａの状態は、蓋がロックされている状態のときはスイッチは閉で、蓋がロックされていない状態のときはスイッチは開としている。
【００３５】
この結果、蓋の開閉状態およびロックの有無により出力端子Ｖｏより得られる出力信号は（表２）に示すようになる。
【００３６】
【表２】
0003861695.tif 000003
【００３７】
なお、図５では、蓋ロックソレノイドの記載を省略している。他の構成は上記実施例１と同じである。
【００３８】
上記構成において脱水行程の動作を図３を参照しながら説明する。ステップ４０にて脱水行程の動作を開始すると、ステップ４１にて蓋開閉検知部３０ａにより蓋の開閉状態を検知し、蓋が閉状態で、出力信号が（Ｒ３／（Ｒ２＋Ｒ３））×Ｖｉｎの場合、ステップ４２にて蓋が閉じられていると判断し、ステップ４３へ進み、蓋ロックソレノイド３１を駆動する。
【００３９】
蓋ロックソレノイド３１が正常に動作した場合は、蓋ロック検知部３２ａが閉状態になるため、出力信号はＶｉｎとなり、ステップ４５にて蓋がロックされている状態であると判断し、洗濯兼脱水槽回転等の次行程に進む。ここで、出力信号の変化がない場合、すなわち、出力信号が（Ｒ３／（Ｒ２＋Ｒ３））×Ｖｉｎのままの場合には、蓋がロックされていない状態であると判断し、ステップ４３に戻り、再度蓋ロックソレノイド３１を駆動する。
【００４０】
つぎに、脱水行程以外の動作を図４を参照しながら説明する。ステップ５０にて脱水行程以外の動作を開始すると、ステップ５１にて蓋ロック検知部３２ａにより蓋のロック状態を検知する。ここで、蓋が開いているとき、正常な場合には蓋ロック検知部３２ａの状態は開状態であり、出力信号は（Ｒ３／（Ｒ１＋Ｒ２＋Ｒ３））×Ｖｉｎとなり、ステップ５１にて蓋がロックされていないと判断し、ステップ５２へ進みその運転を継続する。
【００４１】
蓋ロックソレノイド３１の故障等により、蓋がロック状態になった場合、蓋ロック検知部３２ａの状態は開状態であり、出力信号が（Ｒ３／（Ｒ１＋Ｒ３））×Ｖｉｎとなり、ステップ５１にて異常状態であると判断し、ステップ５３にて表示部１８に異常内容を報知する。
【００４２】
このように、蓋開閉検知部３０ａと蓋ロック検知部３２ａの出力信号を同じ信号線を介して、それぞれの状態を出力することにより、蓋ロック部３３ａと制御部３５との間のリード線の本数を減少させることができ、コストを低減することができる。
【００４３】
【発明の効果】
以上のように本発明の請求項１に記載の発明によれば、外枠と、前記外枠の上部に取り付けられ前記外枠とともに洗濯機本体を構成する上枠と、前記上枠の前面側に取り付けられた操作パネルと、前記操作パネルの裏面側に設けられ運転条件が設定スイッチにより設定されるとその設定内容を表示部に表示する制御手段を有する操作表示部と、前記上枠の後面側に設けられ前記操作表示部の制御手段と電気的に接続されるとともにモータ等の負荷を制御する制御手段を有する制御部と、前記上枠に開閉自在に設けられ洗濯兼脱水槽を開閉自在に覆う蓋と、前記蓋の開閉状態を検知する蓋開閉検知部と、前記蓋を閉状態にロックする蓋ロックソレノイドと、前記蓋がロックされている状態を検知する蓋ロック検知部とを備え、前記蓋開閉検知部、前記蓋ロックソレノイドおよび前記蓋ロック検知部を同一筐体内に配置して蓋ロック部とし、前記蓋ロック部は、前記上枠の前面側に設けられるとともに、前記蓋開閉検知部と前記蓋ロック検知部の出力信号が前記操作表示部の制御手段を介して前記制御部の制御手段に出力されるように構成して、前記蓋のロックを行うから、蓋開閉検知部の位置と蓋ロック位置とをほぼ同じ位置にでき、蓋をロックさせられない状態のとき、蓋ロックソレノイドを動作させるという誤動作を防止できるとともに、操作表示部から蓋開閉検知部をなくしたことにより、操作表示部のデザインの自由度を向上することができ、さらに、必要となるリード線等を削減することができ、コストを低減することができる。
【図面の簡単な説明】
【図１】  本発明の第１の実施例の洗濯機のブロック回路図
【図２】  同洗濯機の分解斜視図
【図３】  同洗濯機の脱水行程での動作フローチャート
【図４】  同洗濯機の脱水行程以外での動作フローチャート
【図５】  本発明の第２の実施例の洗濯機の要部回路図
【図６】  従来の洗濯機のブロック回路図
【図７】  同洗濯機の分解斜視図
【符号の説明】
１９  蓋
３０  蓋開閉検知部
３１  蓋ロックソレノイド
３２  蓋ロック検知部
【図１】
0003861695.tif 000004
【図２】
0003861695.tif 000005
【図３】
0003861695.tif 000006
【図４】
0003861695.tif 000007
【図５】
0003861695.tif 000008
【図６】
0003861695.tif 000009
【図７】
0003861695.tif 000010